(57)【特許請求の範囲】
【請求項１】
複数の通信端末が、各前記通信端末のそれぞれに対し割り当てられた送出許可期間内においてサーバに対し順次データ転送を行なう通信システムにおいて、
前記通信端末にて、前記送出許可期間中に、データフレームを所定ビット毎に異なるビット数の符号に符号変換して前記サーバに送信し、前記送出許可期間以外において、特定ビットの繰り返しビット列を前記サーバに送信し、
前記サーバにて、前記通信端末から受信した通信ビット列を、当該通信ビット列に含まれる前記繰り返しビット列を予め定められた無信号のアイドル状態を示す特殊符号列に変換した上で、前記符号変換の逆変換を行なうことにより、前記データフレームを取得することを特徴とする通信システム。
【請求項２】
前記通信端末における前記符号変換が、前記データフレームを８ビット毎に１０ビット毎の符号に変換する符号変換であり、
前記特殊符号列が、“００１１１１１０１０”と“１０１００１０１１０”のビット列であることを特徴とする請求項１に記載の通信システム。
【請求項３】
前記通信端末における前記符号変換が、前記データフレームを８ビット毎に１０ビット毎の符号に変換する符号変換であり、
前記特殊符号列が、“００１１１１１０１０”と“０１１０１１０１０１”のビット列であることを特徴とする請求項１に記載の通信システム。
【請求項４】
前記通信端末が、
前記送出許可期間の開始時点において、前記データフレームを前記符号変換した変換後の信号列の先頭に、同期用プリアンブルを付加して前記サーバに送信し、
前記サーバが、
前記同期用プリアンブルを読み込むことにより同期を取ることを特徴とする請求項１から請求項３のいずれか１つに記載の通信システム。
【請求項５】
前記通信端末が、
前記送出許可期間の開始時点において、前記符号変換前の前記データフレームに対して、前記符号変換を行なうことにより同期用プリアンブルが生成される第２プリアンブルを付加し、
前記第２プリアンブルを符号変換した前記同期用プリアンブルを、前記データフレームを符号変換したフレームの先頭を示す符号の前に配置させることにより、符号変換を行ない、
前記符号変換された信号列を前記サーバに送信し、
前記サーバが、
前記同期用プリアンブルを読み込むことにより同期を取ることを特徴とする請求項１から請求項３のいずれか１つに記載の通信システム。
【請求項６】
前記第２プリアンブルが、“１０１１０１０１”の繰り返しのビット列を持つことを特徴とする請求項５に記載の通信システム。
【請求項７】
前記通信端末が、
前記送出許可期間の開始時点において、前記符号変換前の前記データフレームに対して前記データフレームに必要なプリアンブルを同期用プリアンブルとして付加し、
前記同期用プリアンブルを符号変換した第３プリアンブルを、前記データフレームを符号変換したフレームの先頭を示す符号の前に配置させることにより、符号変換を行ない、
前記符号変換された信号列を、前記第３プリアンブルを前記変換された信号列の同期用プリアンブルとして変換することにより、前記サーバに送信し、
前記サーバが、
前記同期用プリアンブルを読み込むことにより同期を取ることを特徴とする請求項１から請求項３のいずれか１つに記載の通信システム。
【請求項８】
前記同期用プリアンブルが、“１０１０１０１０１０”の繰り返しのビット列を持つことを特徴とする請求項４から請求項７のいずれか１つに記載の通信システム。
【請求項９】
前記サーバが、
各前記通信端末に対してデータ転送の停止を指示する制御信号を、当該通信端末に割り当てた前記送出許可期間に基づいて送信することを特徴とする請求項１から請求項８のいずれか１つに記載の通信システム。
【請求項１０】
前記サーバが、
各前記通信端末に対してデータ転送の開始を指示する制御信号を、当該通信端末に割り当てた前記送出許可期間に基づいて送信することを特徴とする請求項１から請求項９のいずれか１つに記載の通信システム。
【請求項１１】
各前記通信端末と前記サーバ間において、イーサネット（登録商標）フレームを用いてデータ転送を行なうことを特徴とする請求項１から請求項１０のいずれか１つに記載の通信システム。
【請求項１２】
割り当てられた送出許可期間内においてサーバに対しデータ転送を行なう通信端末において、
前記送出許可期間中に、データフレームを所定ビット毎に異なるビット数の符号に符号変換して前記サーバに送信する手段と、
前記送出許可期間以外において、特定ビットの繰り返しビット列を前記サーバに送信する手段を備えることを特徴とする通信端末。
【請求項１３】
前記符号変換が、前記データフレームを８ビット毎に１０ビット毎の符号に変換する符号変換であり、
前記特殊符号列が、“００１１１１１０１０”と“１０１００１０１１０”のビット列であることを特徴とする請求項１２に記載の通信端末。
【請求項１４】
前記符号変換が、前記データフレームを８ビット毎に１０ビット毎の符号に変換する符号変換であり、
前記特殊符号列が、“００１１１１１０１０”と“０１１０１１０１０１”のビット列であることを特徴とする請求項１２に記載の通信端末。
【請求項１５】
前記送出許可期間の開始時点において、前記データフレームを前記符号変換した変換後の信号列の先頭に、前記サーバが同期を取るための同期用プリアンブルを付加して前記サーバに送信する手段を備えることを特徴とする請求項１２から請求項１４のいずれか１つに記載の通信端末。
【請求項１６】
前記送出許可期間の開始時点において、前記符号変換前の前記データフレームに対して、前記符号変換を行なうことにより同期用プリアンブルが生成される第２プリアンブルを付加する手段を備え、
前記符号変換する手段が、
前記第２プリアンブルを符号変換した前記同期用プリアンブルを、前記データフレームを符号変換したフレームの先頭を示す符号の前に配置させることにより、前記サーバに送信する前記信号列を生成することを特徴とする請求項１２から請求項１４のいずれか１つに記載の通信端末。
【請求項１７】
前記第２プリアンブルが、“１０１１０１０１”の繰り返しのビット列を持つことを特徴とする請求項１６に記載の通信端末。
【請求項１８】
前記通信端末が、
前記送出許可期間の開始時点において、前記符号変換前の前記データフレームに対して前記データフレームに必要なプリアンブルを同期用プリアンブルとして付加し、
前記符号変換する手段が、
前記同期用プリアンブルを符号変換した第３プリアンブルを、前記データフレームを符号変換したフレームの先頭を示す符号の前に配置させ、
前記第３プリアンブルを前記変換された信号列の同期用プリアンブルとして変換することにより、前記サーバに送信する前記信号列を生成することを特徴とする請求項１２から請求項１４のいずれか１つに記載の通信端末。
【請求項１９】
前記同期用プリアンブルが、“１０１０１０１０１０”の繰り返しのビット列を持つことを特徴とする請求項１５から請求項１８のいずれか１つに記載の通信端末。
【請求項２０】
前記送出許可期間において、前記データフレームを一時蓄積し、前記蓄積された前記データフレームを前記送出許可期間内において前記サーバに送信する手段を備えることを特徴とする請求項１２から請求項１９のいずれか１つに記載の通信端末。
【請求項２１】
複数の通信端末のそれぞれに対し割り当てた送出許可期間内において、順次各通信端末からのデータ転送を受信するサーバにおいて、
前記通信端末から、データフレームを所定ビット毎に異なるビット数の符号に符号変換した通信ビット列を受信する手段と、
受信した前記通信ビット列を、当該通信ビット列に含まれる前記繰り返しビット列を予め定められた無信号のアイドル状態を示す特殊符号列に変換した上で、前記符号変換の逆変換を行なうことにより、前記データフレームを取得する手段を備えることを特徴とするサーバ。
【請求項２２】
前記通信端末における前記符号変換が、前記データフレームを８ビット毎に１０ビット毎の符号に変換する符号変換であり、
前記特殊符号列が、“００１１１１１０１０”と“１０１００１０１１０”のビット列であることを特徴とする請求項２１に記載のサーバ。
【請求項２３】
前記通信端末における前記符号変換が、前記データフレームを８ビット毎に１０ビット毎の符号に変換する符号変換であり、
前記特殊符号列が、“００１１１１１０１０”と“０１１０１１０１０１”のビット列であることを特徴とする請求項２１に記載のサーバ。
【請求項２４】
各前記通信端末に対して前記送出許可期間を、各前記通信端末毎に予め決められた期間に固定的に割り当てることを特徴とする請求項２１から請求項２３のいずれか１つに記載のサーバ。
【請求項２５】
各前記通信端末に対して前記送出許可期間を、各前記通信端末からのデータ転送の到着状況に基づいて動的に割り当てる手段を備えることを特徴とする請求項２１から請求項２３のいずれか１つに記載のサーバ。
【請求項２６】
各前記通信端末に対して前記送出許可期間を、各前記通信端末から転送される前記送出許可期間の割当要求に基づいて動的に割り当てる手段を備えることを特徴とする請求項２１から請求項２３のいずれか１つに記載のサーバ。
【請求項２７】
各前記通信端末に対してデータ転送の停止を指示する制御信号を、当該通信端末に割り当てた前記送出許可期間に基づいて送信することを特徴とする請求項２１から請求項２６のいずれか１つに記載のサーバ。
【請求項２８】
各前記通信端末に対してデータ転送の開始を指示する制御信号を、当該通信端末に割り当てた前記送出許可期間に基づいて送信することを特徴とする請求項２１から請求項２７のいずれか１つに記載のサーバ。
【請求項２９】
コンピュータを制御することにより、割り当てられた送出許可期間内においてサーバに対しデータ転送を行なう通信端末のフレーム送出を制御するフレーム送出制御プログラムにおいて、
前記送出許可期間中に、データフレームを所定ビット毎に異なるビット数の符号に符号変換して前記サーバに送信する機能と、
前記送出許可期間以外において、特定ビットの繰り返しビット列を前記サーバに送信する機能を備えることを特徴とするデータ転送制御プログラム。
【請求項３０】
複数の通信端末のそれぞれに対し割り当てた送出許可期間内において順次各通信端末からのデータ転送を受信するサーバを制御することにより、前記通信端末からのフレーム送出を制御するフレーム送出制御プログラムにおいて、
前記通信端末から、データフレームを所定ビット毎に異なるビット数の符号に符号変換した通信ビット列を受信する機能と、
受信した前記通信ビット列を、当該通信ビット列に含まれる繰り返しビット列を予め定められた無信号のアイドル状態を示す特殊符号列に変換した上で、前記符号変換の逆変換を行なうことにより、前記データフレームを取得する機能を備えることを特徴とするデータ転送制御プログラム。
【発明の詳細な説明】
【０００１】
【発明の属する技術分野】
本発明は、複数の通信端末とサーバとの通信に関し、特に、複数の通信端末が各通信端末のそれぞれに対し割り当てられた送出許可期間内においてサーバに対し順次データ転送を行なう方式の通信システム、通信端末、サーバ、及びデータ転送制御プログラムに関する。
【０００２】
【従来の技術】
近年では、音声、画像やインターネット等のマルチメディア通信サービスの普及に伴い、ネットワークの高速化及び低コスト化への要求が高まっている。これらの要求は基幹網のみならず加入者アクセス網においても高まっており、これまでＬＡＮ用の技術として発展してきたイーサネット(Ｒ)技術の公衆網、特に加入者アクセス網への適用が進んでいる。
【０００３】
図３８は、イーサネット(Ｒ)技術を加入者アクセス網に適用する場合の一例であるＥ−ＳＳ（Ethernet(R)-Single Star）システムの構成を示す図である。
【０００４】
図３８のＥ−ＳＳシステム１００では、ファイバ（光ファイバ）１４０〜１４２により互いに接続されたリモート局装置（通信端末）１１０〜１１２と基地局装置（サーバ）１２０とから構成されている。リモート局装置１１０〜１１２にはクライアント装置１５０〜１５２が接続され、基地局装置１２０にはローカルスイッチ１６０が接続され、このローカルスイッチ１６０を介してメトロネットワーク等に接続されている。リモート局装置１１０〜１１２と基地局装置１２０は、ファイバ１４０〜１４２によりポイント・トゥ・ポイントで接続されている。
【０００５】
リモート局装置１１０〜１１２は、ＭＡＣ処理部１１３と、８Ｂ１０Ｂ符号化部１１５と、信号直列化部１１６と、物理インタフェース部１１７から構成され、基地局装置１２０は、ＭＡＣ処理部１２３と、８Ｂ１０Ｂ復号化部１２５と信号並列化部１２６と物理インタフェース部１２７からなる物理レイヤ処理部１３０〜１３２とから構成されている。
【０００６】
図３８では説明の簡単化のため、リモート局装置１１０〜１１２から基地局装置１２０への上り方向のデータ転送に関する各機能部のみを記している。
【０００７】
また、高速化の要求及び到達距離の制限により、ファイバ１４０〜１４２には全二重モードのギガビットイーサネット(Ｒ)が用いられる場合が多い。
【０００８】
ＩＥＥＥ８０２．３の規定に従う場合のＥ−ＳＳシステム１００では、リモート局装置１１０〜１１２から基地局装置１２０に対して以下のようにフレーム転送される。
【０００９】
まず、クライアント装置１５０〜１５２からのＭＡＣフレームを受信したＭＡＣ処理部１１３は、アドレス処理等を行ない、フレームを８Ｂ１０Ｂ符号化部１１５に転送する。
【００１０】
８Ｂ１０Ｂ符号化部１１５は、伝送路上での信号の劣化を抑えるために受信したＭＡＣフレームを符号変換する。具体的には、ＭＡＣフレームに関して、８ビット毎のデータを１と０が同程度含まれる１０ビット単位の符号に変換する。１０ビット符号に変換されたデータ列は信号直列化部１１６に転送される。
【００１１】
信号直列化部１１６は、１０ビット単位の符号列をシリアル信号に変換して、物理インタフェース部１１７に転送する。物理インタフェース部１１７は、受信したシリアル信号列をファイバ１４０上に転送する。
【００１２】
シリアル信号列は、ファイバ１４０を経由して、基地局装置１２０の物理レイヤ処理部１３０の物理インタフェース部１２７に転送される。物理インタフェース部１２７は、受信した信号列を信号並列化部１２６に転送する。信号並列化部１２６は、シリアル信号列を１０ビット単位の符号列に並列化し、８Ｂ１０Ｂ復号化部１２５に転送する。８Ｂ１０Ｂ復号化部１２５は、１０ビット単位の符号列を８ビット毎のデータに復号化する。
【００１３】
復号化されたＭＡＣフレームは、ＭＡＣ処理部１２３に転送される。ＭＡＣ処理部１２３は、受信したＭＡＣフレームのアドレス処理等を行ないローカルスイッチ１６０に転送する。
【００１４】
このように各リモート局装置１１０〜１１２と基地局装置１２０がポイント・トゥ・ポイント接続されるＥ−ＳＳシステム１００では、各リモート局装置１１０〜１１２は各クライアント装置１５０〜１５２からＭＡＣフレームが到着すると、受信したフレームを順次基地局装置１２０に送出することにより、上り方向にフレーム転送する。
【００１５】
また、図３８のＥ−ＳＳシステム１００よりも更なる低コスト化が可能な加入者アクセス網として、ポイント・トゥ・マルチポイントのＰＯＮ構成のＥＰＯＮ（Ethernet(R)-PON）システムが注目されている。
【００１６】
図３９は、従来のＥＰＯＮシステム２００の概要図である。図３９のＥＰＯＮシステム２００は、リモート局装置２１０〜２１２において、図３８のリモート局装置１１０〜１１２に対してＭＡＣ制御部１１４を更に備えた構成となっている。更に、基地局装置２２０において、図３８の基地局装置１２０に対してＭＡＣ制御部１２４を更に備え、かつ図３８では各リモート局装置に対応して複数あった物理レイヤ処理部１３０を１つにしている。
【００１７】
ＥＰＯＮシステム２００は、Ｅ−ＳＳシステム１００と異なり、リモート局装置２１０〜２１２と基地局装置２２０との接続がポイント・トゥ・マルチポイントとなる。すなわち、通信路上においてパッシブ信号合流／分離器２３０を備えることにより、各リモート局装置２１０〜２１２とパッシブ信号合流／分離器２３０との間をそれぞれファイバ（光ファイバ）１４０〜１４２でマルチポイントに接続し、パッシブ信号合流／分離器２３０と基地局装置２２０との間を共有ファイバ２４０で接続している。
【００１８】
ＥＰＯＮシステム２００は、このような構成を備えることにより、基地局装置２２０の物理レイヤ処理部１３０を複数のリモート局装置２１０〜２１２で共有することができ、低コスト化を実現できる。
【００１９】
また、ＥＰＯＮシステム２００では、複数のリモート局装置２１０〜２１２が共有する基地局装置２２０側の共有ファイバ２４０において、パッシブ信号合流／分離器２３０における信号衝突を避けるために、基地局装置２２０のＭＡＣ制御部１２４が各々のリモート局装置２１０〜２１２に対して、基地局装置２２０に対するデータ転送を予め割り当てたフレーム送出許可期間内で実行させることにより、上りのフレーム送出を制御する。
【００２０】
【発明が解決しようとする課題】
しかし、上述したようにＥＰＯＮシステム２００では、低コスト化が可能な物理構成を有するものの、フレーム転送に関して以下に述べるような問題点があった。
【００２１】
従来のＥＰＯＮシステム２００では、もしＩＥＥＥ８０２．３規定に従う場合には、リモート局装置（通信端末）２１０〜２１２が予め割り当てられたフレーム送出許可期間以外にも信号を送出する必要がある。このため、パッシブ信号合流／分離器２３０において、各々のリモート局装置２１０〜２１２からの信号が常に衝突することになり、基地局装置（サーバ）２２０において正常な信号を受信できなかった。
【００２２】
図４０、図４１は、ＥＰＯＮシステム２００で転送される信号列である。図４０に示される信号列３００は、ＭＡＣ処理部１１３から８Ｂ１０Ｂ符号化部１１５に転送される信号列である。
【００２３】
信号列３００は、図４０に示すように、ＭＡＣフレーム３３０〜３３２と各ＭＡＣフレーム３３０〜３３２に付加されるプリアンブル３４０〜３４２と各ＭＡＣフレーム３３０〜３３２間に配置されるパケット間ギャップ（Inter Packet Gap: IPG）３５０、３５１とから構成され、この信号列３００が、フレーム送出許可期間において転送される。
【００２４】
信号列３００は、８Ｂ１０Ｂ符号化部により、信号列３１０に変換される。信号列３１０では、信号列３００のプリアンブル３４２からＭＡＣフレーム３３０の部分が８Ｂ１０Ｂ符号化信号３７０となり、その前にSTART信号３６０が付加される。また、信号列３００における未送出部分には、アイドル（Idle）信号３７１、３７２が転送される。
【００２５】
このように各々のリモート局装置２１０〜２１２からは、フレーム送出許可期間以外にも信号（アイドル信号３７１、３７２）が送出されるため、パッシブ信号合流／分離器２３０では各リモート局装置２１０〜２１２からの信号が衝突することとなり、基地局装置２２０において正常な信号を受信することができなかった。
【００２６】
また、従来のＥＰＯＮシステムにおいては、上述のように、パッシブ信号合流／分離器における信号の衝突することになり、基地局装置で正常な信号を受信できないという問題に加えて、ＥＰＯＮシステム２００ではプリアンブル（同期用のＥＰＯＮ用プリアンブル）が８Ｂ１０Ｂ符号化部１１５で符号化されるため、基地局装置２２０の物理インタフェース部１２７において短期間で同期が取れなくなり、これにより転送効率が劣化するという問題があった。
【００２７】
すなわち、信号列３００は、８Ｂ１０Ｂ符号化されることにより、図４１に示される信号列３１０に変換される。信号列３１０では、信号列３００のプリアンブル３４０〜３４２が８Ｂ１０Ｂ符号化されることにより、［1010101010…］のビットパターンが存在しなくなる。そのため、基地局装置２２０の物理インタフェース部１２７では、短期間で同期を取ることができない。
【００２８】
本発明の第１の目的は、上記従来技術の欠点を解決し、各通信端末（リモート局装置）からの信号をサーバ（基地局装置）が正常に受信することのできるEthernet(R)-PON方式の通信システム、通信端末、サーバ、及びデータ転送制御プログラムを提供することにある。
【００２９】
本発明の第２の目的は、上記従来技術の欠点を解決し、各通信端末（リモート局装置）からの信号をサーバ（基地局装置）が短期間で同期をとることのでき、これによりデータ転送効率の向上を実現するEthernet(R)-PON方式の通信システム、通信端末、サーバ、及びデータ転送制御プログラムを提供することにある。
【００３０】
【課題を解決するための手段】
上記目的を達成するため本発明の通信システムは、複数の通信端末が、各前記通信端末のそれぞれに対し割り当てられた送出許可期間内においてサーバに対し順次データ転送を行なう通信システムにおいて、前記通信端末にて、前記送出許可期間中に、データフレームを所定ビット毎に異なるビット数の符号に符号変換して前記サーバに送信し、前記送出許可期間以外において、特定ビットの繰り返しビット列を前記サーバに送信し、前記サーバにて、前記通信端末から受信した通信ビット列を、当該通信ビット列に含まれる前記繰り返しビット列を予め定められた無信号のアイドル状態を示す特殊符号列に変換した上で、前記符号変換の逆変換を行なうことにより、前記データフレームを取得することを特徴とする。
【００３１】
請求項２の本発明の通信システムは、前記通信端末における前記符号変換が、前記データフレームを８ビット毎に１０ビット毎の符号に変換する符号変換であり、前記特殊符号列が、“００１１１１１０１０”と“１０１００１０１１０”のビット列であることを特徴とする。
【００３２】
請求項３の本発明の通信システムは、前記通信端末における前記符号変換が、前記データフレームを８ビット毎に１０ビット毎の符号に変換する符号変換であり、前記特殊符号列が、“００１１１１１０１０”と“０１１０１１０１０１”のビット列であることを特徴とする。
【００３３】
請求項４の本発明の通信システムは、前記通信端末が、前記送出許可期間の開始時点において、前記データフレームを前記符号変換した変換後の信号列の先頭に、同期用プリアンブルを付加して前記サーバに送信し、前記サーバが、前記同期用プリアンブルを読み込むことにより同期を取ることを特徴とする。
【００３４】
請求項５の本発明の通信システムは、前記通信端末が、前記送出許可期間の開始時点において、前記符号変換前の前記データフレームに対して、前記符号変換を行なうことにより同期用プリアンブルが生成される第２プリアンブルを付加し、前記第２プリアンブルを符号変換した前記同期用プリアンブルを、前記データフレームを符号変換したフレームの先頭を示す符号の前に配置させることにより、符号変換を行ない、前記符号変換された信号列を前記サーバに送信し、前記サーバが、前記同期用プリアンブルを読み込むことにより同期を取ることを特徴とする。
【００３５】
請求項６の本発明の通信システムは、前記第２プリアンブルが、“１０１１０１０１”の繰り返しのビット列を持つことを特徴とする。
【００３６】
請求項７の本発明の通信システムは、前記通信端末が、前記送出許可期間の開始時点において、前記符号変換前の前記データフレームに対して前記データフレームに必要なプリアンブルを同期用プリアンブルとして付加し、前記同期用プリアンブルを符号変換した第３プリアンブルを、前記データフレームを符号変換したフレームの先頭を示す符号の前に配置させることにより、符号変換を行ない、前記符号変換された信号列を、前記第３プリアンブルを前記変換された信号列の同期用プリアンブルとして変換することにより、前記サーバに送信し、前記サーバが、前記同期用プリアンブルを読み込むことにより同期を取ることを特徴とする。
【００３７】
請求項８の本発明の通信システムは、前記同期用プリアンブルが、“１０１０１０１０１０”の繰り返しのビット列を持つことを特徴とする。
【００３８】
請求項９の本発明の通信システムは、前記サーバが、各前記通信端末に対してデータ転送の停止を指示する制御信号を、当該通信端末に割り当てた前記送出許可期間に基づいて送信することを特徴とする。
【００３９】
請求項１０の本発明の通信システムは、前記サーバが、各前記通信端末に対してデータ転送の開始を指示する制御信号を、当該通信端末に割り当てた前記送出許可期間に基づいて送信することを特徴とする。
【００４０】
請求項１１の本発明の通信システムは、各前記通信端末と前記サーバ間において、イーサネット（登録商標）フレームを用いてデータ転送を行なうことを特徴とする。
【００４１】
請求項１２の本発明の通信端末は、割り当てられた送出許可期間内においてサーバに対しデータ転送を行なう通信端末において、前記送出許可期間中に、データフレームを所定ビット毎に異なるビット数の符号に符号変換して前記サーバに送信する手段と、前記送出許可期間以外において、特定ビットの繰り返しビット列を前記サーバに送信する手段を備えることを特徴とする。
【００４２】
請求項１３の本発明の通信端末は、前記符号変換が、前記データフレームを８ビット毎に１０ビット毎の符号に変換する符号変換であり、前記特殊符号列が、“００１１１１１０１０”と“１０１００１０１１０”のビット列であることを特徴とする。
【００４３】
請求項１４の本発明の通信端末は、前記符号変換が、前記データフレームを８ビット毎に１０ビット毎の符号に変換する符号変換であり、前記特殊符号列が、“００１１１１１０１０”と“０１１０１１０１０１”のビット列であることを特徴とする。
【００４４】
請求項１５の本発明の通信端末は、前記送出許可期間の開始時点において、前記データフレームを前記符号変換した変換後の信号列の先頭に、前記サーバが同期を取るための同期用プリアンブルを付加して前記サーバに送信する手段を備えることを特徴とする。
【００４５】
請求項１６の本発明の通信端末は、前記送出許可期間の開始時点において、前記符号変換前の前記データフレームに対して、前記符号変換を行なうことにより同期用プリアンブルが生成される第２プリアンブルを付加する手段を備え、前記符号変換する手段が、前記第２プリアンブルを符号変換した前記同期用プリアンブルを、前記データフレームを符号変換したフレームの先頭を示す符号の前に配置させることにより、前記サーバに送信する前記信号列を生成することを特徴とする。
【００４６】
請求項１７の本発明の通信端末は、前記第２プリアンブルが、“１０１１０１０１”の繰り返しのビット列を持つことを特徴とする。
【００４７】
請求項１８の本発明の通信端末は、前記通信端末が、前記送出許可期間の開始時点において、前記符号変換前の前記データフレームに対して前記データフレームに必要なプリアンブルを同期用プリアンブルとして付加し、前記符号変換する手段が、前記同期用プリアンブルを符号変換した第３プリアンブルを、前記データフレームを符号変換したフレームの先頭を示す符号の前に配置させ、前記第３プリアンブルを前記変換された信号列の同期用プリアンブルとして変換することにより、前記サーバに送信する前記信号列を生成することを特徴とする。
【００４８】
請求項１９の本発明の通信端末は、前記同期用プリアンブルが、“１０１０１０１０１０”の繰り返しのビット列を持つことを特徴とする。
【００４９】
請求項２０の本発明の通信端末は、前記送出許可期間において、前記データフレームを一時蓄積し、前記蓄積された前記データフレームを前記送出許可期間内において前記サーバに送信する手段を備えることを特徴とする。
【００５０】
請求項２１の本発明のサーバは、複数の通信端末のそれぞれに対し割り当てた送出許可期間内において、順次各通信端末からのデータ転送を受信するサーバにおいて、前記通信端末から、データフレームを所定ビット毎に異なるビット数の符号に符号変換した通信ビット列を受信する手段と、受信した前記通信ビット列を、当該通信ビット列に含まれる前記繰り返しビット列を予め定められた無信号のアイドル状態を示す特殊符号列に変換した上で、前記符号変換の逆変換を行なうことにより、前記データフレームを取得する手段を備えることを特徴とする。
【００５１】
請求項２２の本発明のサーバは、前記通信端末における前記符号変換が、前記データフレームを８ビット毎に１０ビット毎の符号に変換する符号変換であり、前記特殊符号列が、“００１１１１１０１０”と“１０１００１０１１０”のビット列であることを特徴とする。
【００５２】
請求項２３の本発明のサーバは、前記通信端末における前記符号変換が、前記データフレームを８ビット毎に１０ビット毎の符号に変換する符号変換であり、前記特殊符号列が、“００１１１１１０１０”と“０１１０１１０１０１”のビット列であることを特徴とする。
【００５３】
請求項２４の本発明のサーバは、各前記通信端末に対して前記送出許可期間を、各前記通信端末毎に予め決められた期間に固定的に割り当てることを特徴とする。
【００５４】
請求項２５の本発明のサーバは、各前記通信端末に対して前記送出許可期間を、各前記通信端末からのデータ転送の到着状況に基づいて動的に割り当てる手段を備えることを特徴とする。
【００５５】
請求項２６の本発明のサーバは、各前記通信端末に対して前記送出許可期間を、各前記通信端末から転送される前記送出許可期間の割当要求に基づいて動的に割り当てる手段を備えることを特徴とする。
【００５６】
請求項２７の本発明のサーバは、各前記通信端末に対してデータ転送の停止を指示する制御信号を、当該通信端末に割り当てた前記送出許可期間に基づいて送信することを特徴とする。
【００５７】
請求項２８の本発明のサーバは、各前記通信端末に対してデータ転送の開始を指示する制御信号を、当該通信端末に割り当てた前記送出許可期間に基づいて送信することを特徴とする。
【００５８】
請求項２９の本発明のデータ転送制御プログラムは、コンピュータを制御することにより、割り当てられた送出許可期間内においてサーバに対しデータ転送を行なう通信端末のフレーム送出を制御するフレーム送出制御プログラムにおいて、前記送出許可期間中に、データフレームを所定ビット毎に異なるビット数の符号に符号変換して前記サーバに送信する機能と、前記送出許可期間以外において、特定ビットの繰り返しビット列を前記サーバに送信する機能を備えることを特徴とする。
【００５９】
請求項３０の本発明のデータ転送制御プログラムは、複数の通信端末のそれぞれに対し割り当てた送出許可期間内において順次各通信端末からのデータ転送を受信するサーバを制御することにより、前記通信端末からのフレーム送出を制御するフレーム送出制御プログラムにおいて、前記通信端末から、データフレームを所定ビット毎に異なるビット数の符号に符号変換した通信ビット列を受信する機能と、受信した前記通信ビット列を、当該通信ビット列に含まれる繰り返しビット列を予め定められた無信号のアイドル状態を示す特殊符号列に変換した上で、前記符号変換の逆変換を行なうことにより、前記データフレームを取得する機能を備えることを特徴とする。
【００６４】
【発明の実施の形態】
以下、本発明の実施の形態について図面を参照して詳細に説明する。
【００６５】
図１は、本発明の第１の実施の形態のＥＰＯＮシステム（通信システム）４００の構成を示すブロック図である。
【００６６】
本実施の形態のＥＰＯＮシステム４００は、図１に示すように、リモート局装置４１０〜４１２と基地局装置２２０との接続がファイバ１４０〜１４２及び共有ファイバ２４０によってポイント・トゥ・マルチポイント構成となっている。すなわち、各リモート局装置４１０〜４１２とパッシブ信号合流／分離器２３０との間をそれぞれファイバ（光ファイバ）１４０〜１４２でマルチポイントに接続し、パッシブ信号合流／分離器２３０と基地局装置２２０との間を共有ファイバ２４０で接続している。
【００６７】
ＥＰＯＮシステム４００のリモート局装置４１０〜４１２において、図３９の従来のＥＰＯＮシステム２００のリモート局装置２１０〜２１２のＢ１０Ｂ符号化部１１５とＭＡＣ制御部１１４の代わりに、拡張８Ｂ１０Ｂ符号化部４０１と拡張ＭＡＣ制御部４１４を新たに備えている。また、基地局装置４２０において、従来の基地局装置２１０〜２１２の８Ｂ１０Ｂ復号化部１２５の代わりに、拡張８Ｂ１０Ｂ復号化部４０２を新たに備えている。図３、図４は、本実施の形態のＥＰＯＮシステム４００の各部間を転送される信号列を示している。
【００６８】
図２は、本実施の形態のＥＰＯＮシステム４００が適用されるネットワークシステムの例を示すものであり、ＥＰＯＮシステム４００はバックボーン(Backbone)ネットワーク２０００に接続されるメトロネットワーク２００１にローカルスイッチ１６０を経由して接続されている。
【００６９】
図１〜図６を用いて、第１の実施の形態による上り方向の（各リモート局装置４１０〜４１２から基地局装置４２０への）データ転送を説明する。図５及び図６は、それぞれリモート局装置４１０〜４１２と基地局装置４２０のデータ転送処理を説明するフローチャートである。
【００７０】
基地局装置４２０のＭＡＣ制御部１２４は、ＭＡＣ処理部１２３へのフレーム到着状況を参照して、各リモート局装置２１０〜２１２に対するフレーム送出許可期間を決定し、その決定したフレーム送出許可期間を制御信号２４１により拡張ＭＡＣ制御部４１４に通知する（制御信号２４１は、実際にはファイバ１４０〜２４０上で伝達される）。
【００７１】
なお、各リモート局装置４１０〜４１２に対するフレーム送出許可期間の決定方法としては、予め決められた方針に従い固定的に割り当てる方式や、ＭＡＣ処理部１２３へのフレームの到着状況（トラヒック状況）に応じて動的に割り当てる方式や、各々のリモート局装置４１０〜４１２からの要求に従い動的に割り当てる方式等が可能である。また、制御内容の通知手段としては、例えばＩＥＥＥ８０２．３で規定されているＰＡＵＳＥフレームを利用できる。
【００７２】
リモート局装置４１０〜４１２の拡張ＭＡＣ制御部４１４は、基地局装置４２０から受信した制御信号２４１の内容に従い、ＭＡＣ処理部１１３にフレーム送信許可期間の開始、停止を指示する。
【００７３】
クライアント装置１５０〜１５２からのＭＡＣフレームを受信したリモート局装置４１０〜４１２のＭＡＣ処理部１１３は、アドレス処理等を行ない、拡張ＭＡＣ制御部４１４から送信許可期間の開始の指示を受けてから終了の指示を受けるまでの間、ＭＡＣフレームを拡張８Ｂ１０Ｂ符号化部４０１に転送する（図５のステップ５０１）。
【００７４】
なお、拡張ＭＡＣ制御部４１４は、ＭＡＣ処理部１１３への指示と同時に拡張８Ｂ１０Ｂ符号化部４０１に対して送信許可期間の開始及び終了を通知する。
【００７５】
図３に示される信号列３００は、ＭＡＣ処理部１１３から拡張８Ｂ１０Ｂ符号化部４０１に転送される信号列のフォーマットであり、従来の技術で説明した信号列３００と同様である。
【００７６】
拡張ＭＡＣ制御部４１４から送信許可期間の開始及び終了を通知されている拡張８Ｂ１０Ｂ符号化部４０１は、開始指示から終了指示までの間、受信した信号列３００に関して、８ビット毎のデータを１０ビット符号に変換する（ステップ５０２）。すなわち、８Ｂ１０Ｂ符号化信号に変換する。
【００７７】
また、終了指示を受けてから開始指示を受けるまでの間、すなわち信号列３００のアイドル状態（アイドル信号部分）である部分を［0000000000 0000000000］の繰り返しのビットパターンからなる「０」が連続する信号に変換する（ステップ５０３）。
【００７８】
なお、図３９に示したこれまでの８Ｂ１０Ｂ符号化部１１５では、アイドル部分を［0011111010 10010010110］又は［0011111010 0110110101］の繰り返しのビットパターンを持つアイドル信号２７１、２７２に変換する。
【００７９】
図４に示される信号列５００は、拡張８Ｂ１０Ｂ符号化部４０１において符号変換された後に、信号直列化部１１６に転送される信号列である。
【００８０】
８ビット毎のデータを１０ビット符号に変換した８Ｂ１０Ｂ符号化信号３７０の前には、START信号３６０が付加され、信号列５００のアイドル部分は、拡張８Ｂ１０Ｂ符号化部４０１によって［0000000000 0000000000］の繰り返しビットパターンである０連続信号５１０、５１１に変換される。
【００８１】
拡張８Ｂ１０Ｂ符号化部４０１は、符号変換した信号列５００を信号直列化部１１６に転送する。信号直列化部１１６は、転送された信号列５００をシリアル信号に変換して、物理インタフェース部１１７に転送する（ステップ５０４）。
【００８２】
そして、変換されたシリアル信号列は、物理インタフェース部１１７からファイバ１４０〜１４２及びパッシブ信号合流／分離器２３０及び共有ファイバ２４０を経由して、基地局装置４２０に転送される（ステップ５０５）。
【００８３】
基地局装置４２０へ転送されたシリアル信号列は、基地局装置４２０の物理インタフェース部１２７で受信され、そこから信号並列化部１２６に転送される（図６のステップ６０１）。
【００８４】
基地局装置４２０の信号並列化部１２６は、シリアル信号列を１０ビット単位の符号列に並列化し（ステップ６０２）、拡張８Ｂ１０Ｂ復号化部４０２に転送する。
【００８５】
拡張８Ｂ１０Ｂ復号化部４０２では、並列化された１０ビット単位の符号列を８ビット毎のデータに復号化する（ステップ６０３）。ここで、「０」が連続する［0000000000］のビットパターンである１０ビット単位の符号からなる０連続信号５１０を受信した場合には、信号を出力せずアイドル状態を出力する（ステップ６０４）。
【００８６】
拡張８Ｂ１０Ｂ復号化部４０２において８ビット毎のデータに復号化されたＭＡＣフレーム（符号列）は、ＭＡＣ処理部１２３に転送される。ＭＡＣ処理部１２３は受信したＭＡＣフレームのアドレス処理等を行ない、ローカルスイッチ１６０に転送する（ステップ６０５）。
【００８７】
以上説明したように本実施の形態のＥＰＯＮシステム４００では、各リモート局装置４１０〜４１２の拡張８Ｂ１０Ｂ符号化部４０１が受信した信号のアイドル部分を０連続信号５１０、５１１に変換することにより、各リモート局装置４１０〜４１２に対するフレーム送出許可期間以外の期間では信号が送出されなくなるので、各リモート局装置４１０〜４１２からの信号が合流するパッシブ信号合流／分離器２３０での信号衝突を回避することができる。
【００８８】
本発明の第２の実施の形態について、図面を用いて説明する。図７は、本発明の第２の実施の形態によるＥＰＯＮシステム６００の構成を示すブロック図である。
【００８９】
本実施の形態のＥＰＯＮシステム６００は、リモート局装置６１０〜６１２において、図３９の従来のＥＰＯＮシステム２００のリモート局装置２１０〜２１２のＭＡＣ制御部１１４の代わりに、拡張ＭＡＣ制御部４１４を備え、さらに０連続信号変換部６０１を新たに備えている。また、基地局装置６２０において、従来のＥＰＯＮシステム２００の基地局装置２２０に、０連続信号逆変換部６０２を新たに備えている。図８、図９、図１０はＥＰＯＮシステム６００の各装置間の信号列を示している。
【００９０】
図７〜図１２を用いて、第２の実施の形態による上り方向の（各リモート局装置６１０〜６１２から基地局装置６２０への）データ転送について説明する。図１１及び図１２は、それぞれリモート局装置６１０〜６１２と基地局装置６２０のデータ転送処理を説明するフローチャートである。
【００９１】
クライアント装置１５０〜１５２からのＭＡＣフレームを受信したリモート局装置６１０〜６１２のＭＡＣ処理部１１３は、アドレス処理等を行ない、拡張ＭＡＣ制御部４１４から送出許可期間の開始の指示を受けてから終了の指示を受けるまでの間、ＭＡＣフレームを８Ｂ１０Ｂ符号化部１１５に転送する（図１１のステップ１１０１）。
【００９２】
拡張ＭＡＣ制御部４１４は、ＭＡＣ処理部１１３への指示と同時に０連続信号変換部６０１に対して、送出許可期間の開始及び終了を通知する。
【００９３】
図８に示される信号列３００は、ＭＡＣ処理部１１３から８Ｂ１０Ｂ符号化部１１５に転送される信号列のフォーマットであり、従来の技術で説明した信号列３００と同様である。
【００９４】
８Ｂ１０Ｂ符号化部１１５は、受信した信号列３００に関して、８ビット毎のデータを１０ビット符号に変換し（ステップ１１０２）、符号変換した信号列を０連続信号変換部６０１に転送する。図９に示される信号列３１０は、８Ｂ１０Ｂ符号化部１１５から０連続信号変換部６０１に転送される信号列のフォーマットであり、従来の技術で説明した信号列３１０と同様である。
【００９５】
０連続信号変換部６０１は、受信した信号列３１０の中で［0011111010 10010010110］又は［0011111010 0110110101］のビットパターンを持つアイドル信号３７１、３７２を［0000000000 0000000000］のビットパターンからなる「０」が連続する信号に変換する（ステップ１１０３）。
【００９６】
なお、信号列３１０の中でアイドル信号３７１、３７２が転送されるのは、送出許可期間の終了から開始までの間であり、０連続信号変換部６０１はその間に転送される信号列を「０」が連続する信号に変換する。
【００９７】
図１０に示される信号列５００は、０連続信号変換部６０１においてアイドル信号３７１、３７２が０連続信号５１０、５１１に符号変換され、信号直列化部１１６に転送される信号列である。図１０に示されるように、信号列３１０のアイドル信号３７１、３７２は０連続信号変換部６０１によって０連続信号５１０、５１１に変換される。
【００９８】
０連続信号変換部６０１は、符号変換した信号列５００を信号直列化部１１６に転送する。信号直列化部１１６は、転送された信号列５００をシリアル信号に変換して、物理インタフェース部１１７に転送する（ステップ１１０４）。
【００９９】
そして、変換されたシリアル信号列は、物理インタフェース部１１７からファイバ１４０〜１４２及びパッシブ信号合流／分離器２３０及び共有ファイバ２４０を経由して、基地局装置６２０に転送される（ステップ１１０５）
【０１００】
基地局装置６２０へ転送されたシリアル信号列は、基地局装置６２０の物理インタフェース部１２７で受信され、そこから信号並列化部１２６に転送される（図１２のステップ１２０１）。
【０１０１】
基地局装置６２０の信号並列化部１２６は、シリアル信号列を１０ビット単位の符号列に並列化し（ステップ１２０２）、０連続信号逆変換部６０２に転送する。
【０１０２】
０連続信号逆変換部６０２は、信号列の「０」が連続する［0000000000 0000000000］のビットパターンである２０ビット単位の符号を通常のアイドル信号３７１、３７２に逆変換し（ステップ１２０３）、信号列を８Ｂ１０Ｂ復号化部１２５に転送する。
【０１０３】
８Ｂ１０Ｂ復号化部１２５では、１０ビット単位の符号列を８ビット毎のデータに復号化し（ステップ１２０４）、復号化したＭＡＣフレームをＭＡＣ処理部１２３に転送する。ＭＡＣ処理部１２３は、受信したＭＡＣフレームのアドレス処理等を行ない、ローカルスイッチ１６０に転送する（ステップ１２０５）。
【０１０４】
なお、上記実施の形態においては、リモート局装置６１０〜６１２の０連続信号変換部６０１の機能を８Ｂ１０Ｂ符号化部１１５で実行するように構成することも可能である。また、基地局装置６２０では、０連続信号逆変換部６０２と８Ｂ１０Ｂ復号化部１２５の両方の機能を備える拡張８Ｂ１０Ｂ復号化部を設けることもでき、同様の効果が得られる。
【０１０５】
以上説明したように本実施の形態のＥＰＯＮシステム６００では、各リモート局装置６１０〜６１２の０連続信号変換部６０１が受信した信号のアイドル部分を０連続信号５１０、５１１に変換することにより、各リモート局装置６１０〜６１２に対するフレーム送出許可期間以外の期間では信号が送出されなくなるので、各リモート局装置６１０〜６１２からの信号が合流するパッシブ信号合流／分離器２３０での信号衝突を回避することができる。
【０１０６】
本発明の第３の実施の形態について、図面を用いて説明する。図１３は、本発明の第３の実施の形態のＥＰＯＮシステム８００の構成を示すブロック図である。
【０１０７】
本実施の形態のＥＰＯＮシステム８００では、リモート局装置８１０〜８１２において、図３９の従来のＥＰＯＮシステム２００のリモート局装置２１０〜２１２のＭＡＣ制御部１１４に代えて拡張ＭＡＣ制御部４１４と光信号制御部８０１を新たに備えている。
【０１０８】
光信号制御部８０１は、拡張ＭＡＣ制御部４１４からの制御によって物理インタフェース部１１７の光信号の光源をＯＮ、ＯＦＦする機能を有する。例えば、光源のシャッター等により実現することができる。
【０１０９】
また、基地局装置６２０において、第２の実施の形態と同様に、図３９の従来のＥＰＯＮシステムの基地局装置２２０に、０連続信号逆変換部６０２を新たに備えている。図１４〜図１６は、ＥＰＯＮシステム８００の各部間の信号列を示している。
【０１１０】
図１３〜図１７を用いて、第２の実施の形態による上り方向の（各リモート局装置８１０〜８１２から基地局装置６２０への）データ転送について説明する。図１７は、リモート局装置８１０〜８１２のデータ転送処理を説明するフローチャートである。
【０１１１】
クライアント装置１５０〜１５２からのＭＡＣフレームを受信したリモート局装置８１０〜８１２のＭＡＣ処理部１１３はアドレス処理等を行ない、拡張ＭＡＣ制御部４１４から送出許可期間の開始を指示されてから終了を指示されるまでの間、ＭＡＣフレームを８Ｂ１０Ｂ符号化部１１５に転送する（図１７のステップ１７０１）。
【０１１２】
拡張ＭＡＣ制御部４１４は、ＭＡＣ処理部１１３への指示と同時に光信号制御部８０１に対して送信許可期間の開始及び終了を通知する。図１４に示される信号列３００は、ＭＡＣ処理部１１３から８Ｂ１０Ｂ符号化部１１５に転送される信号列のフォーマットであり、従来の技術で説明した信号列３００と同様である。
【０１１３】
８Ｂ１０Ｂ符号化部１１５は、受信した信号列３００に関して、８ビット毎のデータを１０ビット符号に変換し（ステップ１７０２）、符号変換した信号列を信号直列化部１１６に転送する。図１５に示される信号列３１０は８Ｂ１０Ｂ符号化部１１５から信号直列化部１１６に転送される信号列のフォーマットであり、従来の技術で説明した信号列３１０と同様である。
【０１１４】
信号直列化部１１６は、受信した１０ビット単位の信号列３１０をシリアル信号に変換して（ステップ１７０３）、物理インタフェース部１１７に転送する。物理インタフェース部１１７の光源は、光信号制御部８０１によってＯＮ／ＯＦＦ制御される。
【０１１５】
光信号制御部８０１は、拡張ＭＡＣ制御部４１４から転送される制御信号に従い、物理インタフェース部１１７の光源をＯＮ／ＯＦＦする。光信号制御部８０１は、拡張ＭＡＣ制御部４１４から送信許可期間の開始を通知されると、物理インタフェース部１１７の光源をＯＮする。一方、拡張ＭＡＣ制御部４１４から送信許可期間の終了を通知されると、物理インタフェース部１１７の光源をＯＦＦする（ステップ１７０４）。
【０１１６】
図１６に示される信号列９００は物理インタフェース部１１７からファイバ１４０上へ転送される信号列であり、物理インタフェース部１１７の光源がＯＦＦ状態である期間（送信許可期間の終了指示受信から開始指示受信までの間）では信号が転送されず、物理インタフェース部１１７の光源がＯＮ状態である期間（送信許可期間の開始指示受信から終了指示受信までの間）では８Ｂ１０Ｂ符号化信号３７０のシリアル信号列が転送される。
【０１１７】
光源がＯＮ状態である場合に、物理インタフェース部１１７は受信したシリアル信号列をファイバ１４０に転送する（ステップ１７０５）。シリアル信号列は、パッシブ信号合流／分離器２３０、共有ファイバ２４０を経由して、基地局装置６２０の物理インタフェース部１２７に転送される。
【０１１８】
基地局装置６２０のデータ転送は、図１２と同様の処理によって実行される。基地局装置６２０の物理インタフェース部１２７は、受信した信号列を信号並列化部１２６に転送する（ステップ１２０１）。信号並列化部１２６は、シリアル信号列を１０ビット単位の符号列に並列化し（ステップ１２０２）、０連続信号逆変換部６０２に転送する。
【０１１９】
０連続信号逆変換部６０２は、データが送信されていない部分、すなわち「０」が連続する［0000000000 0000000000］のビットパターンである２０ビット単位の符号をアイドル信号３７１、３７２に逆変換し（ステップ１２０３）、信号列を８Ｂ１０Ｂ復号化部１２５に転送する。
【０１２０】
８Ｂ１０Ｂ復号化部１２５では、１０ビット単位の符号列を８ビット毎のデータに復号化し（ステップ１２０４）、復号化したＭＡＣフレームをＭＡＣ処理部１２３に転送する。ＭＡＣ処理部１２３は受信したＭＡＣフレームのアドレス処理等を行ない、ローカルスイッチ１６０に転送する（ステップ１２０５）。
【０１２１】
なお、本実施の形態の基地局装置６２０では、０連続信号逆変換部６０２と８Ｂ１０Ｂ復号化部１２５の両方の機能を備える拡張８Ｂ１０Ｂ復号化部を設けることもでき、同様の効果が得られる。
【０１２２】
以上説明したように本実施の形態のＥＰＯＮシステム８００では、各リモート局装置８１０〜８１２の光信号制御部８０１が拡張ＭＡＣ制御部４１４からの指示に従い物理インタフェース部１１７の光源をＯＮ又はＯＦＦすることにより、各リモート局装置８１０〜８１２に対するフレーム送出許可期間以外の期間では信号が送出されなくなるので、各リモート局装置８１０〜８１２からの信号が合流するパッシブ信号合流／分離器２３０での信号衝突を回避することができる。
【０１２３】
本発明の第４の実施の形態について、図面を用いて説明する。図１８は、本発明の第４の実施の形態のＥＰＯＮシステム１０００の構成を示すブロック図である。
【０１２４】
本実施の形態のＥＰＯＮシステム１０００は、リモート局装置１０１０〜１０１２において、図３９の従来のＥＰＯＮシステム２００のリモート局装置２１０〜２１２のＭＡＣ制御部１１４の代わりに、拡張ＭＡＣ制御部４１４とプリアンブル付加部１００１を新たに備えている。図１９〜図２１は、ＥＰＯＮシステム１０００の各部間の信号列を示している。
【０１２５】
図１８〜図２３を用いて、第２の実施の形態による上り方向の（各リモート局装置１０１０〜１０１２から基地局装置２２０への）データ転送について説明する。図２２及び図２３は、それぞれリモート局装置１０１０〜１０１２と基地局装置２２０のデータ転送処理を説明するフローチャートである。
【０１２６】
クライアント装置１５０〜１５２からのＭＡＣフレームを受信したリモート局装置１０１０〜１０１２のＭＡＣ処理部１１３はアドレス処理等を行ない、拡張ＭＡＣ制御部４１４から送出許可期間の開始の指示を受けてから終了の指示を受けるまでの間、ＭＡＣフレームを８Ｂ１０Ｂ符号化部１１５に転送する（図２２のステップ２２０１）。
【０１２７】
拡張ＭＡＣ制御部４１４は、ＭＡＣ処理部１１３への指示と同時にプリアンブル付加部１００１に対して送出許可期間開始を通知する。図１９に示される信号列３００は、ＭＡＣ処理部１１３から８Ｂ１０Ｂ符号化部１１５に転送される信号列のフォーマットであり、従来の技術で説明した信号列３００と同様である。
【０１２８】
８Ｂ１０Ｂ符号化部１１５は、受信した信号列３００に関して、８ビット毎のデータを１０ビット符号に変換し（ステップ２２０２）、１０ビット符号列をプリアンブル付加部１００１に転送する。図２０に示される信号列３１０は、８Ｂ１０Ｂ符号化部１１５からプリアンブル付加部１００１に転送される信号列のフォーマットであり、従来の技術で説明した信号列３１０と同様である。
【０１２９】
拡張ＭＡＣ制御部４１４から送出許可期間開始を通知されているプリアンブル付加部１００１は、信号列３１０を受信すると、基地局装置２２０側で同期を取るためのＥＰＯＮ用プリアンブル１１１０として、［1010101010］の繰り返しのビットパターンを信号列３１０に付加する（ステップ２２０３）。このＥＰＯＮ用プリアンブル１１１０のサイズは、基地局装置２２０側で同期を取るのに十分なサイズとする。図１５に示される信号列１１００は、プリアンブル付加部１００１によりＥＰＯＮ用プリアンブル１１１０が付加された後の信号列である。
【０１３０】
プリアンブル付加部１００１は、受信した信号列３１０に対してＳＴＡＲＴ信号３６０の前にＥＰＯＮ用プリアンブル１１１０を付加する。ＥＰＯＮ用プリアンブル１１１０を付加したプリアンブル付加部１００１は、信号列１１００を信号直列化部１１６に転送する。信号直列化部１１６は、転送された信号列１１００をシリアル信号に変換して、物理インタフェース部１１７に転送する（ステップ２２０４）。
【０１３１】
変換されたシリアル信号列は、物理インタフェース部１１７からファイバ１４０〜１４２及びパッシブ信号合流／分離器２３０及び共有ファイバ２４０を経由して、基地局装置４２０に転送される（ステップ２２０５）。
【０１３２】
基地局装置２２０の物理インタフェース部１２７は、転送された信号列のＥＰＯＮ用プリアンブル１１１０を受信することにより同期を取り、信号列を受信する（図２３のステップ２３０１）。その後、ＥＰＯＮ用プリアンブル１１１０を削除した後に、信号列を信号並列化部１２６に転送する（ステップ２３０２）。
【０１３３】
信号並列化部１２６は、シリアル信号列を１０ビット単位の符号列に並列化し（ステップ２３０３）、８Ｂ１０Ｂ復号化部１２５に転送する。８Ｂ１０Ｂ復号化部１２５は、並列化された１０ビット単位の符号列を８ビット毎のデータに復号化する（ステップ２３０４）。復号化されたＭＡＣフレームは、ＭＡＣ処理部１２３に転送される。ＭＡＣ処理部１２３は、受信したＭＡＣフレームのアドレス処理等を行ない、ローカルスイッチ１６０に転送する（ステップ２３０５）。
【０１３４】
以上説明したように本実施の形態のＥＰＯＮシステム１０００では、各リモート局装置１０１０〜１０１２のプリアンブル付加部１００１がフレーム送信開始時にＥＰＯＮ用プリアンブル１１１０を付加することにより、基地局装置２２０の物理インタフェース部１２７は付加されたＥＰＯＮ用プリアンブル１１１０により同期を取ることができる。
【０１３５】
本発明の第５の実施の形態について、図面を用いて説明する。図２４は、本発明の第５の実施の形態のＥＰＯＮシステム１２００の構成を示すブロック図である。
【０１３６】
本実施の形態のＥＰＯＮシステム１２００では、リモート局装置１２１０〜１２１２において、図３９の従来のＥＰＯＮシステム２００のリモート局装置１２１０〜１２１２のＭＡＣ制御部１１４と８Ｂ１０Ｂ符号化部１１５の代わりに、拡張ＭＡＣ制御部４１４と８Ｂ１０Ｂ符号化部１２０２とプリアンブル付加部１２０１を新たに備えている。図２５〜図２７及び図２８〜図３１は、ＥＰＯＮシステム１２００の各部間の信号列を示している。
【０１３７】
図２４〜図３３を用いて、第５の実施の形態による上り方向の（各リモート局装置１２１０〜１２１２から基地局装置２２０への）データ転送について説明する。図３２及び図３３は、それぞれリモート局装置１２１０〜１２１２と基地局装置２２０のデータ転送処理を説明するフローチャートである。
【０１３８】
本実施の形態のＥＰＯＮシステム１２００では、プリアンブル付加部１２０１と８Ｂ１０Ｂ符号化部１２０２におけるＥＰＯＮ用プリアンブルの付加方法として、２つの方式があり、図２５〜図２７と、図２８〜図３１においてそれぞれを説明している。
【０１３９】
クライアント装置１５０〜１５２からのＭＡＣフレームを受信したリモート局装置１２１０〜１２１２のＭＡＣ処理部１１３はアドレス処理等を行ない、拡張ＭＡＣ制御部４１４から送出許可期間開始の指示を受けてから終了の指示を受けるまでの間、ＭＡＣフレームをプリアンブル付加部１２０１に転送する（図３２のステップ３２０１）。拡張ＭＡＣ制御部４１４は、ＭＡＣ処理部１１３への指示と同時にプリアンブル付加部１２０１に対して送出許可期間開始を通知する。
【０１４０】
まず、第１のプリアンブル付加方式について、図２５〜図２７を参照して説明する。図２５に示される信号列３００は、ＭＡＣ処理部１１３からプリアンブル付加部１２０１に転送される信号列のフォーマットであり、従来の技術で説明した信号列３００と同様である。
【０１４１】
拡張ＭＡＣ制御部４１４から送出許可期間開始を指示されているプリアンブル付加部１２０１は、信号列３００を受信すると基地局装置２２０側で同期を取るためのＥＰＯＮ用プリアンブル１３１０を信号列３００に対して付加する（ステップ３２０２）。図２６に示される信号列１３００は、プリアンブル付加部１２０１によりＥＰＯＮ用プリアンブル１３１０が付加された後の信号列である。
【０１４２】
プリアンブル付加部１２０１は、受信した信号列３００に対してＥＰＯＮ用プリアンブル１３１０として、［10110101］の繰り返しのビットパターンを付加する。
【０１４３】
ここで、ＥＰＯＮ用プリアンブル１３１０として付加する［10110101］の繰り返しビットパターンは、８Ｂ１０Ｂ符号化部１２０２で８Ｂ１０Ｂ符号化されることによりプリアンブルとして本来必要な［1010101010］の繰り返しビットパターンに変換されるビットパターンである。ＥＰＯＮ用プリアンブル１３１０を付加したプリアンブル付加部１２０１は、データ列１３００を８Ｂ１０Ｂ符号化部１２０２に転送する。
【０１４４】
８Ｂ１０Ｂ符号化部１２０２は、受信した信号列１３００に関して、８ビット毎のデータを１０ビット符号に変換する（ステップ３２０３）。ここで、ＥＰＯＮ用プリアンブル１３１０に関しては、符号化した後の符号列をＳＴＡＲＴ信号３６０の前に配置させる。
【０１４５】
図２７に示される信号列１１００は、８Ｂ１０Ｂ符号化部１２０２から信号直列化部１１６に転送される信号列である。信号列１３００のＥＰＯＮ用プリアンブル１３１０は、８Ｂ１０Ｂ符号化部１２０２により、［1010101010］の繰り返しビットパターンであるＥＰＯＮ用プリアンブル１１１０に変換され、ＳＴＡＲＴ信号３６０の前に配置する。８Ｂ１０Ｂ符号化部１２０２は、符号変換した信号列１１００を信号直列化部１１６に転送する。
【０１４６】
次に、第２のプリアンブル付加方式について、図２８〜図３１を参照して説明する。ステップ３２０２で、拡張ＭＡＣ制御部４１４から送出許可期間開始を指示されているプリアンブル付加部１２０１は、信号列３００を受信すると本来プリアンブルとして必要な［10101010］の繰り返しビットパターンをＥＰＯＮ用プリアンブル１３４０として付加する。図２９に示される信号列１３２０は、プリアンブル付加部１２０１によりＥＰＯＮ用プリアンブル１３４０が付加された後の信号列である。ＥＰＯＮ用プリアンブル１３４０を付加したプリアンブル付加部１２０１は、信号列１３２０を８Ｂ１０Ｂ符号化部１２０２に転送する。
【０１４７】
８Ｂ１０Ｂ符号化部１２０２は、受信した信号列１３２０に関して、８ビット毎のデータを１０ビット符号に変換する（ステップ３２０３）。ここでＥＰＯＮ用プリアンブル１３４０に関しては、符号化した後の符号列をＳＴＡＲＴ信号３６０の前に配置させる。図３０に示される信号列１３３０は、８Ｂ１０Ｂ符号化部１２０２において８Ｂ１０Ｂ符号化した後の信号列である。信号列１３３０のＥＰＯＮ用プリアンブル１３５０は、信号列１３２０のＥＰＯＮ用プリアンブル１３４０が８Ｂ１０Ｂ符号化されたものである。
【０１４８】
８Ｂ１０Ｂ符号化部１２０２は、８Ｂ１０Ｂ符号化すると、信号列１３３０のＥＰＯＮ用プリアンブル１３５０を本来プリアンブルに必要な［1010101010］の繰り返しビットパターンであるＥＰＯＮ用プリアンブル１１１０に変換する。図３１に示される信号列１１００は、ＥＰＯＮ用プリアンブル１１１０の変換をした後の信号列である。８Ｂ１０Ｂ符号化部１２０２は、信号列１１００を信号直列化部１１６に転送する。
【０１４９】
その後の処理は、図２２のステップ２２０４、２２０５と同様である。また、シリアル信号列を受信した基地局装置２２０の処理は、図２３の処理内容と同様に実行される。
【０１５０】
なお、本実施の形態におけるプリアンブル付加方式は、図２５〜図２７の方式と、図２８〜図３１の方式のどちらの場合でも、信号直列化部１１６から基地局装置１２０の各部を経由してローカルスイッチ１６０に到着するまでのフレーム転送については従来の技術のＥＰＯＮシステム２００と同様である。
【０１５１】
以上説明したように本実施の形態のＥＰＯＮシステム１２００では、各リモート局装置１２１０〜１２１２のプリアンブル付加部１２０１がフレーム送信開始時にＥＰＯＮ用プリアンブル１３１０を付加し、８Ｂ１０Ｂ符号化部１２０２がＥＰＯＮ用プリアンブル１３１０をＥＰＯＮ用プリアンブル１１１０に変換することにより、８Ｂ１０Ｂ符号化により同期用のＥＰＯＮ用プリアンブルが失われないので、基地局装置１２０の物理インタフェース部１２７は変換されたＥＰＯＮ用プリアンブル１１１０により同期を取ることができる。
【０１５２】
本発明の第６の実施の形態について、図面を用いて説明する。図３３は、本発明の第６の実施の形態のＥＰＯＮシステム１４００の構成を示すブロック図である。
【０１５３】
本実施の形態のＥＰＯＮシステム１４００では、リモート局装置１４１０〜１４１２において、図３９の従来のＥＰＯＮシステム２００のリモート局装置２１０〜２１２のＭＡＣ制御部１１４の代わりに、ＥＰＯＮフロー制御部１４０１とプリアンブル付加部１００１を新たに備えている。また、基地局装置１４２０において、従来のＥＰＯＮシステム２００の基地局装置２２０のＭＡＣ制御部１２４の代わりに、ＥＰＯＮフロー制御部１４０２を新たに備えている。図３４、図３５、図３６は、ＥＰＯＮ１４００の各部間の信号列を示している。
【０１５４】
図３３〜図３８を用いて、第２の実施の形態による上り方向の（各リモート局装置１０１０〜１０１２から基地局装置２２０への）データ転送について説明する。図３７及び図３８は、それぞれリモート局装置１４１０〜１４１２と基地局装置１４２０のデータ転送処理を説明するフローチャートである。
【０１５５】
本実施の形態のＥＰＯＮシステム１４００では、従来の技術で説明したＥＰＯＮシステム２００とは異なり、基地局装置１４２０のＥＰＯＮフロー制御部１４０２からリモート局装置１４１０〜１４１２のＥＰＯＮフロー制御部１４０１への制御信号の通知により上り方向のフレーム送出が制御される。
【０１５６】
本実施の形態の基地局装置１４２０のＥＰＯＮフロー制御部１４０２は、各々のリモート局装置１４１０〜１４１２からのフレーム転送状況のモニタなどにより、各々のリモート局装置１４１０〜１４１２にフレーム送信許可期間を割り当て、制御信号２４１により送信許可期間の開始及び終了をリモート局装置１４１０〜１４１２のＥＰＯＮフロー制御部１４０１に通知する。ＥＰＯＮフロー制御部１４０１は、受信した制御情報に従い、ＭＡＣフレームを送信又は停止する。
【０１５７】
このようなフレーム転送制御が行なわれるＥＰＯＮシステム１４００での上りデータ転送方法について説明する。
【０１５８】
クライアント装置１５０〜１５２からのＭＡＣフレームを受信したリモート局装置１４１０〜１４１２のＭＡＣ処理部１１３は、アドレス処理等を行ない、ＭＡＣフレームをＥＰＯＮフロー制御部１４０１に転送する（図３７のステップ３７０１）。図３４に示される信号列３００はＭＡＣ処理部１１３からＥＰＯＮフロー制御部１４０１に転送される信号列であり、従来の技術で説明した信号列３００と同様である。
【０１５９】
ＥＰＯＮフロー制御部１４０１は、受信した信号列３００のＭＡＣフレームを一時蓄積し、基地局装置１４２０のＥＰＯＮフロー制御部１４０２から送信許可期間の開始の指示を受けてから終了の指示を受けるまでの間、信号列３００を８Ｂ１０Ｂ符号化部１１５に転送する。ＥＰＯＮフロー制御部１４０１は、ＭＡＣ処理部１１３への指示と同時にプリアンブル付加部１００１に対して送信許可期間開始を通知する（ステップ３７０２）。
【０１６０】
ここで、ＭＡＣ処理部１１３とＥＰＯＮフロー制御部１４０１は、次のような動作をする場合もある。
【０１６１】
ＭＡＣ処理部１１３は、受信したＭＡＣフレームのアドレス処理等を行ない、一時蓄積する。フレーム転送については、ＥＰＯＮフロー制御部１４０１からの指示に従う。ＥＰＯＮフロー制御部１４０１は、基地局装置１４２０のＥＰＯＮフロー制御部１４０２から送信許可期間開始の指示を受けると、ＭＡＣ処理部１１３のフレーム送信を許可する。フレーム送信を許可されたＭＡＣ処理部１１３は、蓄積しているＭＡＣフレームをＥＰＯＮフロー制御部１４０１に転送する。
【０１６２】
一方、ＥＰＯＮフロー制御部１４０１は、基地局装置１４２０のＥＰＯＮフロー制御部１４０２から送信許可期間終了の指示を受けると、ＭＡＣ処理部１１３に対してバックプレッシャーをかけフレーム送信を停止させる。フレーム送信を停止されたＭＡＣ処理部１１３は、引き続きＭＡＣフレームを蓄積する。ＥＰＯＮフロー制御部１４０１はＭＡＣ処理部１１３からＭＡＣフレーム（信号列３００）を受信すると、受信した信号列３００を８Ｂ１０Ｂ符号化部１１５に転送する。
【０１６３】
上記いずれの場合においても、８Ｂ１０Ｂ符号化部１１５は受信した信号列３００に関して、８ビット毎のデータを１０ビット符号に変換し、１０ビット符号列をプリアンブル付加部１００１に転送する。図３５に示される信号列３１０は、８Ｂ１０Ｂ符号化部１１５からプリアンブル付加部１００１に転送される信号列であり、従来の技術で説明した信号列３１０と同様である。
【０１６４】
ＥＰＯＮフロー制御部１４０１から送出許可期間開始の指示を受けているプリアンブル付加部１００１は、信号列３１０を受信すると、基地局装置１４２０側で同期を取るためのＥＰＯＮ用プリアンブル１１１０として、本来のプリアンブルである［1010101010］の繰り返しビットパターンを信号列３１０に付加する（ステップ３７０３）。図３６に示される信号列１１００は、プリアンブル付加部１００１によりＥＰＯＮ用プリアンブル１１１０が付加された後の信号列のフォーマットであり、信号列３１０のＳＴＡＲＴ信号３６０の前にＥＰＯＮ用プリアンブル１１１０を付加されている。
【０１６５】
ＥＰＯＮ用プリアンブル１１１０を付加したプリアンブル付加部１００１は、信号列１１００を信号直列化部１１６に転送する。信号直列化部１１６は、転送された信号列１１００をシリアル信号に変換して、物理インタフェース部１１７に転送する（ステップ３７０４）。
【０１６６】
変換されたシリアル信号列は、物理インタフェース部１１７からファイバ１４０〜１４２及びパッシブ信号合流／分離器２３０及び共有ファイバ２４０を経由して、基地局装置１４２０に転送される（ステップ３７０５）。
【０１６７】
基地局装置１４２０の物理インタフェース部１２７は、転送された信号列のＥＰＯＮ用プリアンブル１１１０を受信することにより同期を取り、信号列を受信し、その後、ＥＰＯＮ用プリアンブル１１１０を削除した後に、信号列を信号並列化部１２６に転送する。また、信号並列化部１２６は、シリアル信号列を１０ビット単位の符号列に並列化し、８Ｂ１０Ｂ復号化部１２５は、並列化された１０ビット単位の符号列を８ビット毎のデータに復号化し、復号化されたＭＡＣフレームは、ＭＡＣ処理部１２３に転送される。ＭＡＣ処理部１２３は、受信したＭＡＣフレームのアドレス処理等を行ない、ローカルスイッチ１６０に転送する。これらの処理は、図２３と同様の処理である。
【０１６８】
以上説明したように本実施の形態のＥＰＯＮシステム１４００では、各リモート局装置１４１０〜１４１２のプリアンブル付加部１００１がフレーム送信開始時にＥＰＯＮ用プリアンブル１１１０を付加することにより、８Ｂ１０Ｂ符号化により同期用のＥＰＯＮ用プリアンブルが失われないので、基地局装置１４２０の物理インタフェース部１２７は付加されたＥＰＯＮ用プリアンブル１１１０により同期を取ることができる。
【０１６９】
以上説明した各実施の形態では、第１〜第３の実施の形態においてパッシブ信号合流／分離器２３０での各リモート局装置からの信号衝突の回避という第１の課題を解決するための発明について述べており、第４〜第６の実施の形態において基地局装置側での同期という第２の課題を解決するための発明について述べている。
【０１７０】
このような第１〜第３の実施の形態と第４〜第６の実施の形態のいずれか一つずつを組み合わせることにより、第１と第２の課題を解決できるＥＰＯＮシステムを提供できる。
【０１７１】
また、上りフレーム制御に関して、第１〜第５の実施の形態では拡張ＭＡＣ制御部４１４とＭＡＣ制御部１２４により実現するのに対して、第２の実施の形態ではＥＰＯＮフロー制御部１４０１と１４０２により実現する。
【０１７２】
ここで、第１〜第５の実施の形態に対して、第６の実施の形態と同様のＥＰＯＮフロー制御部１４０１、１４０２による上りフレーム制御を適用することも可能である。
【０１７３】
その場合には、ＥＰＯＮフロー制御部１４０１、１４０２による上りフレーム制御を行なうＥＰＯＮシステムにおいて、パッシブ信号合流／分離器での各リモート装置からの信号衝突の回避という第１の課題と、及び基地局装置側での同期という第２の課題を同時に解決できる。
【０１７４】
なお上記各実施の形態のＥＰＯＮシステムは、リモート局装置や基地局装置における、拡張８Ｂ１０Ｂ符号化部、拡張８Ｂ１０Ｂ復号化部、拡張ＭＡＣ制御部、光信号制御部の機能や、その他の機能をハードウェア的に実現することは勿論として、各機能を備えるコンピュータプログラムであるデータ転送制御プログラム２９０、４８０、４９０、６８０、６９０、８８０、１０８０、１２８０、１４８０、１４９０を、コンピュータ処理装置のメモリにロードされることで実現することができる。このデータ転送制御プログラム２９０、４８０、４９０、６８０、６９０、８８０、１０８０、１２８０、１４８０、１４９０は、磁気ディスク、半導体メモリその他の記録媒体に格納される。そして、その記録媒体からコンピュータ処理装置にロードされ、コンピュータ処理装置の動作を制御することにより、上述した各機能を実現する。
【０１７５】
以上好ましい実施の形態及び実施例をあげて本発明を説明したが、本発明は必ずしも上記実施の形態及び実施例に限定されるものではなく、その技術的思想の範囲内において様々に変形して実施することができる。
【０１７６】
【発明の効果】
以上説明したように本発明の通信システム、通信端末、サーバ、及びデータ転送制御プログラムによれば、以下のような効果が達成される。
【０１７７】
第１に、パッシブ信号合流分離器において各々の通信端末からの信号衝突を回避し、サーバで正常な信号を受信することができる。
【０１７８】
すなわち本発明では、各々の通信端末に装備される拡張８Ｂ１０Ｂ符号化部又は０連続信号変換部が送出許可期間以外に転送される信号列を０連続信号のビットパターンを持つ信号列に変換する、又は光信号制御部が光信号の光源をＯＦＦ状態にする。これにより、各通信端末が送出許可期間のみにおいてフレームを送出する場合には、パッシブ信号合流／分離器における信号衝突を回避できるため、サーバでは正常な信号を受信できる。
【０１７９】
第２に、各通信端末（リモート局装置）からの信号をサーバ（基地局装置）が短期間で同期をとることでき、効率的な通信を実現できる。
【０１８０】
すなわち本発明では、各々の通信端末に装備されるプリアンブル付加部が転送される信号列に対してプリアンブル用の符号列を付加することにより、８Ｂ１０Ｂ符号化後の信号列では同期用のＥＰＯＮ用プリアンブルのビットパターンが付加される。このような信号列を受信したサーバは、上記ビットパターンを持つＥＰＯＮ用プリアンブルを受信することにより短期間で同期を取ることができる。
【０１８１】
このように本発明では、各通信端末からの信号をサーバが正常に受信することができ、更にサーバで短期間に同期を取ることができるEthernet(R)-PON方式の通信システム、通信端末、サーバ、及びデータ転送制御プログラムを提供することができる。
【図面の簡単な説明】
【図１】  本発明の第１の実施の形態によるＥＰＯＮシステムの構成を示すブロック図である。
【図２】  第１の実施の形態によるＥＰＯＮシステムが適用されるネットワークシステムの例を示す図である。
【図３】  本発明の第１の実施の形態における信号列を示す図である。
【図４】  本発明の第１の実施の形態における信号列を示す図である。
【図５】  第１の実施の形態におけるＥＰＯＮシステムのデータ転送の処理であって、上り方向のデータ転送におけるリモート局装置の動作を説明するフローチャートである。
【図６】  第１の実施の形態におけるＥＰＯＮシステムのデータ転送の処理であって、上り方向のデータ転送における基地局装置の動作を説明するフローチャートである。
【図７】  本発明の第２の実施の形態によるＥＰＯＮシステムの構成を示すブロック図である。
【図８】  本発明の第２の実施の形態における信号列を示す図である。
【図９】  本発明の第２の実施の形態における信号列を示す図である。
【図１０】  本発明の第２の実施の形態における信号列を示す図である。
【図１１】  第２の実施の形態におけるＥＰＯＮシステムのデータ転送の処理であって、上り方向のデータ転送におけるリモート局装置の動作を説明するフローチャートである。
【図１２】  第２の実施の形態におけるＥＰＯＮシステムのデータ転送の処理であって、上り方向のデータ転送における基地局装置の動作を説明するフローチャートである。
【図１３】  本発明の第３の実施の形態によるＥＰＯＮシステムの構成を示すブロック図である。
【図１４】  本発明の第３の実施の形態における信号列を示す図である。
【図１５】  本発明の第３の実施の形態における信号列を示す図である。
【図１６】  本発明の第３の実施の形態における信号列を示す図である。
【図１７】  第３の実施の形態におけるＥＰＯＮシステムのデータ転送の処理であって、上り方向のデータ転送におけるリモート局装置の動作を説明するフローチャートである。
【図１８】  本発明の第４の実施の形態によるＥＰＯＮシステムの構成を示すブロック図である。
【図１９】  本発明の第４の実施の形態における信号列を示す図である。
【図２０】  本発明の第４の実施の形態における信号列を示す図である。
【図２１】  本発明の第４の実施の形態における信号列を示す図である。
【図２２】  第４の実施の形態におけるＥＰＯＮシステムのデータ転送の処理であって、上り方向のデータ転送におけるリモート局装置の動作を説明するフローチャートである。
【図２３】  第４の実施の形態におけるＥＰＯＮシステムのデータ転送の処理であって、上り方向のデータ転送における基地局装置の動作を説明するフローチャートである。
【図２４】  本発明の第５の実施の形態によるＥＰＯＮシステムの構成を示すブロック図である。
【図２５】  本発明の第５の実施の形態における第１のＥＰＯＮ用プリアンブル付加方法による信号列を示す図である。
【図２６】  本発明の第５の実施の形態における第１のＥＰＯＮ用プリアンブル付加方法による信号列を示す図である。
【図２７】  本発明の第５の実施の形態における第１のＥＰＯＮ用プリアンブル付加方法による信号列を示す図である。
【図２８】  本発明の第５の実施の形態における第２のＥＰＯＮ用プリアンブル付加方法による信号列を示す図である。
【図２９】  本発明の第５の実施の形態における第２のＥＰＯＮ用プリアンブル付加方法による信号列を示す図である。
【図３０】  本発明の第５の実施の形態における第２のＥＰＯＮ用プリアンブル付加方法による信号列を示す図である。
【図３１】  本発明の第５の実施の形態における第２のＥＰＯＮ用プリアンブル付加方法による信号列を示す図である。
【図３２】  第５の実施の形態におけるＥＰＯＮシステムのデータ転送の処理であって、上り方向のデータ転送におけるリモート局装置の動作を説明するフローチャートである。
【図３３】  本発明の第６の実施の形態によるＥＰＯＮシステムの構成を示すブロック図である。
【図３４】  本発明の第６の実施の形態における信号列を示す図である。
【図３５】  本発明の第６の実施の形態における信号列を示す図である。
【図３６】  本発明の第６の実施の形態における信号列を示す図である。
【図３７】  第６の実施の形態におけるＥＰＯＮシステムのデータ転送の処理であって、上り方向のデータ転送におけるリモート局装置の動作を説明するフローチャートである。
【図３８】  従来のＥ−ＳＳシステムの構成を示すブロック図である。
【図３９】  従来のＥＰＯＮシステムの構成を示すブロック図である。
【図４０】  従来のＥＰＯＮシステムにおける信号列を示す図である。
【図４１】  従来のＥＰＯＮシステムにおける信号列を示す図である。
【符号の説明】
４００、６００、８００、１０００、１２００、１４００  本発明のＥＰＯＮシステム
１１０、１１１、１１２、２１０、２１１、２１２、４１０、４１１、４１２、６１０、６１１、６１２、８１０、８１１、８１２、１０１０、１０１１、１０１２、１２１０、１２１１、１２１２、１４１０、１４１１、１４１２  リモート局装置
１１３、１２３  ＭＡＣ処理部
１１４、１２４  ＭＡＣ制御部
１１５、１２０２  ８Ｂ１０Ｂ符号化部
１１６  信号直列化部
１１７、１２７  物理インタフェース部
１２０、２２０、４２０、６２０、１４２０  基地局装置
１２５  ８Ｂ１０Ｂ復号化部
１２６  信号並列化部
１３０、１３１、１３２  物理レイヤ処理部
１４０、１４１、１４２  ファイバ
１５０、１５１、１５２  クライアント装置
１６０  ローカルスイッチ
２３０  パッシブ信号合流／分離器
２４０  共有ファイバ
２４１  制御信号
３００、３１０、５００、９００、１１００、１３００、１３２０、１３３０  信号列
３３０、３３１、３３２  ＭＡＣフレーム
３４０、３４１、３４２  プリアンブル
３５０、３５１  パケット間ギャップ
３６０  ＳＴＡＲＴ信号
３７０  ８Ｂ１０Ｂ符号化信号
３７１、３７２  アイドル信号
４０１  拡張８Ｂ１０Ｂ符号化部
４０２  拡張８Ｂ１０Ｂ復号化部
４１４  拡張ＭＡＣ制御部
５１０、５１１  ０連続信号
６０１  ０連続信号変換部
６０２  ０連続信号逆変換部
８０１  光信号制御部
１００１、１２０１  プリアンブル付加部
１１１０、１３１０、１３４０、１３５０  ＥＰＯＮ用プリアンブル
１４０１、１４０２  ＥＰＯＮフロー制御部
２９０、４８０、４９０、６８０、６９０、８８０、１０８０、１２８０、１４８０、１４９０  データ転送制御プログラム
【図１】
0003820584.tif 000002
【図２】
0003820584.tif 000003
【図３】
0003820584.tif 000004
【図４】
0003820584.tif 000005
【図５】
0003820584.tif 000006
【図６】
0003820584.tif 000007
【図７】
0003820584.tif 000008
【図８】
0003820584.tif 000009
【図９】
0003820584.tif 000010
【図１０】
0003820584.tif 000011
【図１１】
0003820584.tif 000012
【図１２】
0003820584.tif 000013
【図１３】
0003820584.tif 000014
【図１４】
0003820584.tif 000015
【図１５】
0003820584.tif 000016
【図１６】
0003820584.tif 000017
【図１７】
0003820584.tif 000018
【図１８】
0003820584.tif 000019
【図１９】
0003820584.tif 000020
【図２０】
0003820584.tif 000021
【図２１】
0003820584.tif 000022
【図２２】
0003820584.tif 000023
【図２３】
0003820584.tif 000024
【図２４】
0003820584.tif 000025
【図２５】
0003820584.tif 000026
【図２６】
0003820584.tif 000027
【図２７】
0003820584.tif 000028
【図２８】
0003820584.tif 000029
【図２９】
0003820584.tif 000030
【図３０】
0003820584.tif 000031
【図３１】
0003820584.tif 000032
【図３２】
0003820584.tif 000033
【図３３】
0003820584.tif 000034
【図３４】
0003820584.tif 000035
【図３５】
0003820584.tif 000036
【図３６】
0003820584.tif 000037
【図３７】
0003820584.tif 000038
【図３８】
0003820584.tif 000039
【図３９】
0003820584.tif 000040
【図４０】
0003820584.tif 000041
【図４１】
0003820584.tif 000042